(57)【要約】【課題】工場での生産活動により発生する汚染質を局所換気装置（局所排気装置又はプッシュプル換気装置）で確実に捕集・排出するとともに、汚染質を室内に拡散させることなく工場の室内全体の換気が可能な工場の換気装置及び換気方法を提供する。【解決手段】工場内の一部分で発生する汚染質を局所換気装置２を用いて排出し、工場内の全体に対して下側７から給気し、工場内に設置された発熱性機器３による上昇気流を利用して天井に備わる排気口８から排出する置換換気を行う。【選択図】      図１
2004353894.tif 000002
【特許請求の範囲】
【請求項１】
工場内の一部分で発生する汚染質を局所換気装置を用いて排出し、
工場内の全体に対して下側から給気し、工場内に設置された発熱性機器による上昇気流を利用して天井側に備わる排気口から排出する置換換気を行うことを特徴とする工場の換気方法。
【請求項２】
室内に局所換気装置及び置換換気装置を設置した工場の換気装置であって、
前記置換換気装置は、床面に設置した発熱性機器と、
室内上部に設けた排気口と、
室内下部に設けた給気口とにより構成したことを特徴とする工場の換気装置。
【請求項３】
前記局所換気装置は、汚染質除去用であることを特徴とする請求項２に記載の工場の換気装置。
【発明の詳細な説明】
【０００１】
【発明の属する技術分野】
本発明は、有害な汚染質を発生する工場の換気装置及び換気方法に関するものである。
【０００２】
【従来の技術】
工場等の作業環境では生産活動に伴い、種々の汚染質が発生する。これらの汚染質は作業者の保健衛生を考慮し効率的に除去する必要があることから、厚生労働省令に該当する物質を取扱う作業場では、局所換気装置の設置が義務付けされている。厚生労働省令に該当する物質とは、有機溶剤中毒予防規則（有機則）、鉛中毒予防規則（鉛則）、特定化学物質等障害予防規則（特化則）、粉じん障害防止規則（粉じん則）の４則に掲げらる有害物質である。このうち、有機則及び粉じん則に掲げられた有害物質においては、局所換気装置のうち、局所排気装置に代えてプッシュプル換気装置の使用が認められている。一方、局所換気装置とともに、工場内全体は希釈換気（ｄｉｌｕｔｉｏｎ  ｖｅｎｔｉｌａｔｉｏｎ）が行われている。
【０００３】
このような局所換気装置（局所排気装置、プッシュプル換気装置）、希釈換気は非特許文献１に記載されている。すなわち、局所排気装置は汚染質の発生源近くで補足・吸引し、排出するものであり、排風機の吸込み流れを利用するものである。プッシュプル換気装置は送風機による吹出し流れと排風機による吸込み流れを利用して汚染質を周囲に拡散させることなく吸引・排出するものであり、汚染質の発生源が大きい場合等に有用である。また、希釈換気とは室内の汚染質の濃度を希釈するため清浄空気に大きな運動量をもたせて供給するものである。
【０００４】
一方、室内の空間全体を換気するために、希釈換気法の他に置換換気法が知られている（例えば非特許文献１）。この置換換気法は、大きな面積を持つ吹出し開口からほとんど運動量をもたない遅い速度で清浄空気を吹出すものである。
【０００５】
図３は従来の工場の換気装置の（Ａ）は平面図、（Ｂ）は側面図である。
【０００６】
図示したように、工場の室３１内にはプッシュプル換気装置３２と発熱性機器３３が設置される。プッシュプル換気装置３２は送風機を有するプッシュフード３４と排風機を有するプルフード３５及びこれらの間に介在する作業台３６で構成される。この作業台３６で作業者は各種処理作業や製造作業等の生産活動を行い、上述した４則に掲げられる有害な汚染質（不図示）が発生する。発生した汚染質はプッシュフード３４からの吹出し流れに乗ってプルフード３５の吸込み流れによりプルフード３５内に捕集されて排出される。発熱性機器３３は例えば生産装置又は機器である。
【０００７】
この汚染質のプッシュプル換気装置３２による排出と同時に室３１内全体の換気として室３１の上部に給気口３７と排気口３８が配設され、希釈換気が行われる。これは室３１内全体の温度や物質濃度を均一にするため、給気口３７からある程度の運動量（風速）をもって勢いよく清浄空気を送り込み、室３１内の空気を撹拌させるものである。
【０００８】
図４は図３のプッシュプル換気装置の（Ａ）は気流を示す概略図であり、（Ｂ）は汚染質濃度分布を示す概略図である。
【０００９】
（Ａ）に示すように、希釈換気による給気口３７（図３）からの換気流がプッシュプル換気装置３２の気流の流れの妨害風Ｄとなり、プッシュフード３４から送風されてプルフード３５に入るべき気流Ｃが周囲に拡散する。このため、（Ｂ）に示すように、プッシュプル換気装置３２の略中央で発生した汚染質は気流Ｃと妨害風Ｄの流れとともに周囲に拡散し、汚染質が室１内に流出する。汚染質は等濃度線で表してあり、３重の曲線のうち内側ほど濃度が高い。この場合、シミュレーションによる直接捕集効率（ＤＣＥ）は７９％であった。なお、直接捕集効率（ＤＣＥ）とは、局所的に発生した汚染質が作業域（居住域）内へ、流出することなく局所排気装置により、どの程度直接的に捕集されているかを示す指標である（田所祐人，近藤靖史，荻田俊輔，長澤康弘，「局所排気システムにおける直接捕集率（ＤＣＥ）に関する研究（その１，その２），学術講演会講演論文集，社団法人空気調和・衛生工学会，ｐ６３３−６４０，２０００）。
【００１０】
【非特許文献１】
「工場換気の理論と実践」，初版，社団法人空気調和・衛生工学会，平成７年３月３０日，ｐ４７−１１９
【００１１】
【発明が解決しようとする課題】
本発明は上記従来技術を考慮したものであって、工場での生産活動により発生する汚染質を局所換気装置（局所排気装置又はプッシュプル換気装置）で確実に捕集・排出するとともに、汚染質を室内に拡散させることなく工場の室内全体の換気が可能な工場の換気方法及び換気装置の提供を目的とする。
【００１２】
【課題を解決するための手段】
前記目的を達成するため、本発明では、工場内の一部分で発生する汚染質を局所換気装置を用いて排出し、工場内の全体に対して下側から給気し、工場内に設置された発熱性機器による上昇気流を利用して天井側に備わる排気口から排出する置換換気を行うことを特徴とする工場の換気方法を提供する。
【００１３】
この構成によれば、室内の下側の給気口から清浄空気を供給し、発熱性機器から発生する上昇気流を利用して清浄空気を上昇させて室内の空気の置換換気を行うため、室内空気を撹拌させることがなくなるため、局所換気装置（局所排気装置あるいはプッシュプル換気装置）の吸込み流れを乱すことなく確実に汚染質を捕集・排出することができる。
【００１４】
また、本発明では、室内に局所換気装置及び置換換気装置を設置した工場の換気装置であって、前記置換換気装置は、床面に設置した発熱性機器と、室内上部に設けた排気口と、室内下部に設けた給気口とにより構成したことを特徴とする工場の換気装置を提供する。
【００１５】
この構成によれば、室内の下側の給気口から清浄空気を供給し、発熱性機器から発生する温度差に基づく対流作用の上昇気流を利用して清浄空気を上昇させて室内の空気の置換換気を行うため、室内空気は撹拌されなくなる。このため、局所換気装置（局所排気装置あるいはプッシュプル換気装置）に対する妨害風は発生せず、したがって吸込み流れを乱すことなく確実に汚染質を捕集・排出することができる。
【００１６】
好ましい構成例においては、前記局所換気装置は、汚染質除去用であることを特徴としている。
【００１７】
この構成によれば、厚生労働省令の４則に掲げられる有害物質を発生する工場において、これらの汚染質を確実に捕集するので、作業者の安全を図ることができる。
【００１８】
【発明の実施の形態】
図１は本発明に係る工場の換気装置の（Ａ）は平面図、（Ｂ）は側面図である。
【００１９】
図示したように、工場の室１内にはプッシュプル換気装置２と発熱性機器３が設置される。プッシュプル換気装置２は送風機を有するプッシュフード４と排風機を有するプルフード５及びこれらに介在する作業台６で構成される。この作業台６で作業者は生産活動を行い、上述した４則に掲げられる有害な汚染質（不図示）が発生する。発生した汚染質はプッシュフード４からの吹出し流れに乗ってプルフード５の吸込み流れによりプルフード５内に捕集されて排出される。発熱性機器３は例えば発熱を伴う生産装置又は機器である。
【００２０】
この汚染質のプッシュプル換気装置２による排出と同時に室１内全体の換気として室１の下側に備わる給気口７と上側に備わる排気口８により、置換換気が行われる。置換換気とは室１内の汚染された空気を清浄な空気で置き換えるものであり、給気口７からほとんど運動量を持たない遅い速度で清浄空気を供給し、発熱性機器３による上昇気流の流れとともに室１内の空気を清浄空気に置換するものである。
【００２１】
図２は図１のプッシュプル換気装置の（Ａ）は気流を示す概略図であり、（Ｂ）は汚染質濃度分布を示す概略図である。
【００２２】
（Ａ）に示すように、室１内は気流の流れがほとんどない置換換気により換気されるため、プッシュプル換気装置２の気流の流れを乱すことがなくなる。このため、プッシュフード４から送風される気流Ｅはプルフード５に向かって確実に流れる。このため、（Ｂ）に示すように、プッシュプル換気装置２の略中央で発生した汚染質は気流Ｅの流れとともに確実にプルフード５に捕集されて排出される。この場合、シミュレーションによる直接捕集効率（ＤＣＥ）は１００％であった。なお、濃度は３重の等濃度線で示し、内側が一番高いものである。
【００２３】
実施例ではプッシュプル換気装置を用いているが、局所排気装置を用いたとしても同様の結果を得ることができる。
【００２４】
【発明の効果】
以上説明したように、本発明では、室内の下側の給気口から清浄空気を供給し、発熱性機器から発生する上昇気流を利用して清浄空気を上昇させて室内の空気の置換換気を行うため、室内空気を撹拌させることがなくなるため、局所換気装置（局所排気装置あるいはプッシュプル換気装置）の吸込み流れを乱すことなく確実に汚染質を捕集・排出することができる。
【図面の簡単な説明】
【図１】本発明に係る工場の換気装置の（Ａ）は平面図、（Ｂ）は側面図。
【図２】図１のプッシュプル換気装置の（Ａ）は気流を示す概略図であり、（Ｂ）は汚染質濃度分布を示す概略図。
【図３】従来の工場の換気装置の（Ａ）は平面図、（Ｂ）は側面図。
【図４】図３のプッシュプル換気装置の（Ａ）は気流を示す概略図であり、（Ｂ）は汚染質濃度分布を示す概略図。
【符号の説明】
１：工場の室、２：プッシュプル換気装置、３：発熱性機器、
４：プッシュフード、５：プルフード、６：作業台、７：給気口、
８：排気口。
【図１】
2004353894.tif 000003
【図２】
2004353894.tif 000004
【図３】
2004353894.tif 000005
【図４】
2004353894.tif 000006